(57)【要約】【課題】被写体検出手段により検出された被写体の領域を光学ファインダー視野領域内に判りやすく表示することができるとともに、合焦するまでの時間を短縮してレリーズタイムラグを少なくすることができる撮像装置を提供する。【解決手段】撮像装置は、被写体の焦点調節に関する値を検出する焦点検出手段５３と、焦点検出手段５３により検出された情報に応じて、光学ファインダー視野領域内の複数の位置に配置された測距枠から焦点調節の対象として選択された測距枠を表示する表示手段８５と、焦点検出手段５３での検出に用いる信号とは異なる信号を用いて被写体の領域を検出する被写体検出手段８４と、被写体検出手段８４の検出結果に基づいて、検出された被写体の領域を複数の前記測距枠で囲むように表示手段８５を制御する表示制御手段８３と、を備える。【選択図】図２
2010039284.tif 000002
【特許請求の範囲】
【請求項１】
被写体の焦点調節に関する値を検出する焦点検出手段と、
該焦点検出手段により検出された情報に応じて、光学ファインダー視野領域内の複数の位置に配置された測距枠から焦点調節の対象として選択された前記測距枠を表示する表示手段と、
前記焦点検出手段での検出に用いる信号とは異なる信号を用いて被写体の領域を検出する被写体検出手段と、
該被写体検出手段の検出結果に基づいて、被写体の領域を複数の前記測距枠で囲むように前記表示手段を制御する制御手段と、を備えることを特徴とする撮像装置。
【請求項２】
前記被写体検出手段により複数の被写体が検出された場合、前記制御手段は、現在選択されている被写体の次の候補の被写体を選択するための操作用画像を光学ファインダー視野領域内に表示する、ことを特徴とする請求項１に記載の撮像装置。
【請求項３】
前記被写体検出手段により複数の被写体が検出された場合、前記制御手段は、現在選択されている被写体の領域を囲む複数の前記測距枠とは異なる形態の表示で他の被写体の領域を囲むように前記表示手段を制御する、ことを特徴とする請求項１又は２に記載の撮像装置。
【請求項４】
前記被写体検出手段により検出された被写体が前記光学ファインダー視野領域内の複数の前記測距枠の表示領域より外側に存在した場合に、前記制御手段は、前記被写体に最も近い前記測距枠が該被写体の領域の周囲に沿って配置されるように前記表示手段を制御する、ことを特徴とする請求項１〜３のいずれか一項に記載の撮像装置。
【請求項５】
被写体の焦点調節に関する値を検出する焦点検出ステップと、
該焦点検出ステップで検出された情報に応じて、光学ファインダー視野領域内の複数の位置に配置された測距枠から焦点調節の対象として選択された前記測距枠を表示する表示ステップと、
前記焦点検出ステップでの検出に用いる信号とは異なる信号を用いて被写体の領域を検出する被写体検出ステップと、
該被写体検出ステップでの検出結果に基づいて、被写体の領域を複数の前記測距枠で囲むように前記表示ステップを制御する制御ステップと、を備えることを特徴とする撮像装置の制御方法。
【発明の詳細な説明】
【技術分野】
【０００１】
本発明は、例えば、デジタルカメラや監視カメラなどの自動焦点調節（ＡＦ）機能を有する撮像装置及び撮像装置の制御方法に関する。
【背景技術】
【０００２】
カメラ等の焦点検出機能は、中央１点の検出領域から３点，７点、９点、１９点、４５点へと進歩し、撮影領域に対してその検出範囲が拡がっている。
【０００３】
検出領域の多点化は、通常の撮影の場合では、被写体ではなく背景にピントが合ってしまう状態、いわゆる「中抜け」の防止に効果があり、また、動いている被写体を撮影する場合は、被写体から焦点検出領域を外してしまう頻度を少なくできる。
【０００４】
しかし、位相差を利用したＡＦシステムでは、複数の焦点検出領域の中から一番近い位置に存在する被写体に焦点を合わせることが一般的である。従って、例えば人物撮影において、一番近傍に花やボール等の別な物体が存在した場合に、その物体に焦点が合ってしまい、人物には焦点が合わないなどの問題がある。
【０００５】
そこで、近年では、視線入力や顔などの被写体検出技術を利用したＡＦシステムが提案され、ＡＦ機能を用いた良好な被写体撮影を可能としている。
【０００６】
例えば、撮像した画像データの中から被写体の顔の特徴的な部位や肌色部分を検出することで、顔領域を自動で検出する顔検出技術を用いて、入力された画像から顔画像を抽出する技術がある。また、特定の画像データを参照画像として登録し、新たに入力された画像データが参照画像に合致するかを判断する技術が提案されている（特許文献１）。
【０００７】
また、予め登録された顔の画像データと識別対象となる画像データとの相関値を計算することで、顔が存在する領域を特定する技術が開示されている（特許文献２）。更に、画像データを周波数帯域別に複数に分割して顔が存在する可能性が高いと推定される領域を限定し、限定した領域に対して予め登録された顔画像データとの相関値を計算する技術が開示されている（特許文献３）。
【０００８】
これらの技術をカメラに応用した例では、画像データから形状解析等の手法によって主被写体を自動的に検出し、検出された主被写体に対して焦点検出エリアを表示して、この焦点検出エリアに対して焦点調節処理を行う技術が開示されている（特許文献４）。
【０００９】
また、画像データから特徴点を抽出することで主被写体である顔の存在する領域を識別し、この領域の大きさに応じて焦点検出エリアを設定する技術が開示されている（特許文献５）。また、画像データから特徴点を抽出することで顔の存在する領域を識別し、この領域の大きさに応じてズーム駆動を行う技術が開示されている（特許文献６）。
【００１０】
更に、測光・測色装置で被写体を追尾し、その追尾結果を５４のエリアに分割された表示装置に表示する技術が提案されている。この表示装置は、スクリーンとペンタプリズムの間に配置されており、光学ファインダから、追尾結果が重畳された被写体像を観察することができる（特許文献７）。
【特許文献１】特開２００４−１３８７１号公報
【特許文献２】特開平９−２５１５３４号公報
【特許文献３】特開平１０−１６２１１８号公報
【特許文献４】特開２００３−１０７３３５号公報
【特許文献５】特開２００４−３１７６９９号公報
【特許文献６】特開２００４−３２０２８６号公報
【特許文献７】特許第３０９７２５０号公報
【発明の開示】
【発明が解決しようとする課題】
【００１１】
被写体検出機能を用いたＡＦシステムは、カメラ背面に液晶表示部や電子ファインダーに被写体の検出結果を反映し、測距枠の自動選択や任意選択による焦点調節を行うものが存在する。
【００１２】
しかし、撮像素子とは別にＡＦ用の測距センサを備える一眼レフタイプのデジタルカメラでは、カメラ内部のミラーを光路上に配置するか否かによって、測距センサを用いてＡＦを行うか、撮像素子を用いてＡＦを行うかを切り替えることになる。
【００１３】
この場合、撮像素子を用いて顔検出を行おうとすると、いわゆるライブビュー撮影モードにて液晶表示部に撮像素子から出力された画像を表示し、その画像から検出された顔領域に対して撮像素子を用いてＡＦすることになる。そのため、測距センサを用いてＡＦする場合に比較して、合焦するまでに時間を要してしまい、レリーズタイムラグが大きくなるという問題がある。
【００１４】
また、上記特許文献７では、画面が複数に分割されており、検出した被写体の近くの領域に被写体を検出したことを示す指標を表示する。しかし、この表示は１つの指標（枠）が点灯表示されているだけであるため、被写体を領域として捉えているのかが判りにくいという問題がある。
【００１５】
そこで、本発明は、検出された被写体領域を光学ファインダー視野領域内に判りやすく表示することができるとともに、合焦するまでの時間を短縮してレリーズタイムラグを少なくすることができる撮像装置及び撮像装置の制御方法を提供することを目的とする。
【課題を解決するための手段】
【００１６】
上記目的を達成するために、本発明の撮像装置は、被写体の焦点調節に関する値を検出する焦点検出手段と、該焦点検出手段により検出された情報に応じて、光学ファインダー視野領域内の複数の位置に配置された測距枠から焦点調節の対象として選択された前記測距枠を表示する表示手段と、前記焦点検出手段での検出に用いる信号とは異なる信号を用いて被写体の領域を検出する被写体検出手段と、該被写体検出手段の検出結果に基づいて、被写体領域を複数の前記測距枠で囲むように前記表示手段を制御する制御手段と、を備えることを特徴とする。
【００１７】
本発明の撮像装置の制御方法は、被写体の焦点調節に関する値を検出する焦点検出ステップと、該焦点検出ステップで検出された情報に応じて、光学ファインダー視野領域内の複数の位置に配置された測距枠から焦点調節の対象として選択された前記測距枠を表示する表示ステップと、前記焦点検出ステップでの検出に用いる信号とは異なる信号を用いて被写体の領域を検出する被写体検出ステップと、該被写体検出ステップでの検出結果に基づいて、被写体領域を複数の前記測距枠で囲むように前記表示ステップを制御する制御ステップと、を備えることを特徴とする。
【発明の効果】
【００１８】
本発明によれば、被写体検出手段により検出された被写体の領域を光学ファインダー視野領域内に判りやすく表示することができるとともに、合焦するまでの時間を短縮してレリーズタイムラグを少なくすることができる。
【発明を実施するための最良の形態】
【００１９】
以下、本発明の実施形態の一例を図を参照して説明する。
【００２０】
図１は、本発明の撮像装置の実施形態の一例であるデジタル一眼レフカメラ（以下、カメラという）の概略断面図である。
【００２１】
本実施形態のカメラは、例えば、図１に示すように、カメラ本体１のマウント２に撮影レンズ３が着脱可能に装着される。マウント２は、各種信号を通信したり、駆動電源を供給するためのインターフェイス部であるマウント接点２ａを有する。
【００２２】
カメラ本体１内には、ハーフミラーで構成された主ミラー４が、カメラの動作状態に応じて回動可能に配置されている。主ミラー４は、光学ファインダーによる被写体の観察時は撮影光路に斜設されて、撮影レンズ２からの光束を折り曲げてファインダー光学系（後述する）へ導き、露光時は撮影光路から退避して、撮影レンズ３からの光束を撮像素子７へ導く。
【００２３】
主ミラー４の撮像素子７側には、主ミラー４とともに回動するサブミラー５が配置されている。サブミラー５は、ハーフミラーで構成され、主ミラー４が撮影光路に斜設されているとき、主ミラー４を透過した光束を焦点検出装置８へ導く光束と撮像素子７へ導く光束とに分光する。
【００２４】
サブミラー５と撮像素子７との間には、シャッター６が配置され、サブミラー５の下方には、合焦位置を判断する信号を出力する焦点検出装置８が配置され、カメラ本体１の背面側には、撮影した画像を表示する液晶モニタ１５が配置されている。なお、図１中の符号１４は、ファインダーを観察する瞳である。
【００２５】
焦点検出装置８は、結像面近傍に配置されたフィールドレンズ８ａ、反射ミラー８ｂ，８ｃ、２次結像レンズ８ｅ、絞り８ｄ、複数のＣＣＤからなるエリアセンサ８ｆ等を備えている。焦点検出装置８は、本実施形態では、例えば被写体の４５箇所の領域について、周知の位相差方式で焦点検出が可能とされている。
【００２６】
また、主ミラー４の上方には、ピント板９、ペンタプリズム１１、接眼レンズ１２，１３により構成されたファインダー光学系が配置されている。
【００２７】
ピント板９は、撮影レンズ３の一次結像面に配置され、入射面にはフレネルレンズ（集光レンズ）が設けられ、射出面には被写体像（ファインダー像）が結像する。ペンタプリズム１１は、ピント板９の射出面に結像した被写体像を正立正像に補正するためのものである。ピント板９とペンタプリズム１１との間には、光学ファインダーの視野領域を形成するファインダー視野枠１０が配置されている。
【００２８】
ピント板９の表面には、測距枠（図３で後述する）を表示するための微細反射面が形成された反射板が設けられている。このピント板９に形成された測距枠に対してペンタプリズム１１の側部に配置されたＬＥＤ８５等から光を照射することにより、測距枠を点灯表示させることができる。そして、ユーザは、接眼レンズ１２，１３を覗くことによって、ＬＥＤ８５の光で点灯させられた測距枠がピント板９を透過した被写体像に重畳した光学像を観察することができる。
【００２９】
ペンタプリズム１１と接眼レンズ１２との間には、測光センサ８０及び画像取得素子８１が配置されている。測光センサ８０は、露出制御に必要な明るさ情報を取得するためのセンサであり、画像取得素子８１は、ミラーダウンしている際に画像を取得するための素子である。
【００３０】
撮影レンズ３は、フォーカスレンズ群３ａ及びズームレンズ群３ｂを有している。なお、各レンズ群３ａ，３ｂは、便宜上１枚のレンズで図示したが、実際には多数のレンズにより複雑なレンズ群の組み合わせで構成されている。
【００３１】
また、撮影レンズ３には、フォーカスレンズ群３ａを駆動するためのフォーカス駆動用モータ１６、駆動ギア等からなるフォーカス駆動部材１７、フォトカプラ１８、フォーカス駆動部材１７に連動するパルス板１９、絞り２０が設けられている。また、撮影レンズ３には、絞り駆動回路６２（図２参照）を含む絞り駆動装置２１が設けられている。
【００３２】
図２は、本実施形態のカメラの電気的構成を説明するためのブロック図である。
【００３３】
図２において、ＭＰＵ５０は、カメラ全体の制御を行うマイクロコンピュータ（中央処理装置）であり、メモリコントローラ５１は、画像データの各種制御を行う。ＥＥＰＲＯＭ５２には、各種制御を行うための設定・調整データ等が格納されている。
【００３４】
焦点検出回路５３は、合焦位置を判断する回路であり、ＭＰＵ５０の信号に従い、エリアセンサ８ｆの蓄積制御と読み出し制御とを行って、各測距枠の画素情報をＭＰＵ５０に出力する。エリアセンサ８ｆは、光学ファインダー視野枠１０内の複数の測距枠に対応した４５組のラインセンサＣＣＤ−０１〜ＣＣＤ−４５から構成されている。
【００３５】
ＭＰＵ５０は、各測距枠の画素情報から周知の位相差検出法により焦点検出を行い、検出した焦点検出情報をレンズ制御回路６０へ送出してレンズの焦点調節を行わせる。この焦点検出から焦点調節までの一連の動作をオートフォーカス（ＡＦ）動作と称する。
【００３６】
モータ駆動回路５４は、ＭＰＵ５０からの信号に従い、主ミラー４を駆動するモータ５５及びシャッター６のチャージを行うモータ５６を制御する。シャッター駆動回路５７は、ＭＰＵ５０からの信号に従い、シャッター６の先幕を走行させるマグネット５８及びシャッター６の後幕を走行させるマグネット５９を、撮像素子７に所定光量を露光させるように制御する。
【００３７】
レンズ制御回路６０は、マウント接点２ａを介してＭＰＵ５０からの信号に基づいて、焦点調節回路６１と絞り駆動回路６２の制御を行う。焦点調節回路６１は、フォトカプラ１８で検知されたパルス板１９の回転情報と、レンズ制御回路６０からのフォーカスレンズ駆動量の情報とに基づいて、フォーカス駆動用モータ１６を所定量駆動させ、フォーカスレンズ群３ａを合焦位置に移動させる。
【００３８】
絞り駆動回路６２は、レンズ制御回路６０からの絞り情報に基づいて、絞り２０を駆動する。操作ＳＷ６３は、カメラの操作や、撮影のための各種設定を行うためのスイッチである。
【００３９】
ＣＤＳ（相関２重サンプリング）／ＡＧＣ（自動ゲイン調整）回路６４は、撮像素子７から出力される画像信号をサンプルホールド及び自動ゲイン調整する回路である。Ａ／Ｄ変換器６５は、ＣＤＳ／ＡＧＣ回路６４のアナログ出力をデジタル信号に変換する。
【００４０】
ＴＧ（タイミング発生）回路６６は、撮像素子７に駆動信号を供給し、ＣＤＳ／ＡＧＣ回路６４にサンプルホールド信号を供給し、Ａ／Ｄ変換器６５にサンプルクロック信号を供給する。
【００４１】
ここで、メモリコントローラ５１は、撮像素子７から出力される画像信号をＣＤＳ／ＡＧＣ回路６４、Ａ／Ｄ変換器６５を経て受けて、コントラスト検出方式により被写体像の焦点検出を行うことが可能である。
【００４２】
ＳＤＲＡＭ６７は、Ａ／Ｄ変換器６５でデジタル変換された画像等を一時的に記録する。画像処理回路６８は、画像に対して、Ｙ／Ｃ（輝度信号／色差信号）分離、ホワイトバランス補正、γ補正等の処理を行う。画像圧縮／伸張回路６９は、画像をＪＰＥＧ等の形式に従って圧縮したり、圧縮された画像を伸張したりする処理を行う。
【００４３】
被写体検出回路８４は、画像取得素子８１又は撮像素子７から取得した画像から顔などの被写体を検出し、被写体の位置や確からしさなど情報を生成する。
【００４４】
Ｄ／Ａ変換器７０は、ＳＤＲＡＭ６７やメディア７２に記録された画像を液晶モニタ１５に表示するために、画像をアナログ信号に変換する。Ｉ／Ｆ７１は、画像を記録保存するためのメディア７２とのインターフェイスである。ＤＣ／ＤＣコンバータ７３は、電源７４の電圧を各回路に必要な電圧に変換する。
【００４５】
ＳＩ（スーパーインポーズ）制御部８３は、ＭＰＵ５０の支持によりＬＥＤ８５を点灯制御して、図３に示す光学ファインダー視野枠１０内の全ての測距枠２０１〜２４５をＳＩ表示させるためのものである。
【００４６】
図３において、マスク４ａは、主ミラー４に設けられ、主ミラー４に届いた光束の内、複数の測距枠２０１〜２４５でのＡＦに必要な光束を透過し、不要な光束を透過させず反射させることで光学ファインダーへ光量を供給する。
【００４７】
マスク４ａを通過した光束は、マスク４ａよりも少し大きいサイズのサブミラー５で反射して反射した光束は焦点検出装置８へ導かれ、また、サブミラー５を透過した光束は撮像素子７へ導かれる。
【００４８】
ここで、ファインダー視野枠１０は、撮像素子７の受光面サイズと等価サイズとなっているため、撮像素子７で得られる画像と同一の絵（視野範囲）がファインダーで確認することができる（ファインダー視野率１００％）。
【００４９】
従って、図３はファインダー視野図であるが、撮像素子７に対する主ミラー４のマスク４ａとサブミラー５の大きさを表していることと等価となっている。即ち、主ミラー４とサブミラー５を透過して撮像素子７へ届く光束は、撮像素子７上のマスク４ａの範囲である。
【００５０】
次に、図４〜図１１を参照して、本実施形態のカメラにおけるＳＩ表示処理の一例を説明する。なお、図４及び図５での各処理は、ＲＯＭ等に記憶されたプログラムがＲＡＭにロードされて、ＭＰＵ５０により実行される。
【００５１】
ここで、以下の説明では、主ミラー４が撮影光路上に配置され、主ミラー４で反射した被写体光がピント板９、ペンタプリズム１１を介して接眼レンズ１２、測光センサ８０及び画像取得素子８１に入射する状態に設定されているものとする。
【００５２】
図４において、ステップＳ６１０１では、ＭＰＵ５０は、ライブビュー撮影モードを開始し、モータ駆動回路５４を制御して、主ミラー４を撮影光路上に移動させて、ステップＳ６１０２に進む。
【００５３】
なお、ステップＳ６１０１では、顔検出の開始を指示するための特別のボタンが操作されるなど、何らかのイベントを受信した際に同様な処理を行うようにしてもよい。
【００５４】
ステップＳ６１０２にて、ＭＰＵ５０は、ミラーダウンした状態で画像取得可能な画像取得素子８１の出力から生成された画像データを基に被写体検出回路８４により被写体（顔）検出を行い、ステップＳ６１０３に進む。
【００５５】
ここで、画像データから被写体を検出する技術としては、様々な手法が公知となっている。例えば、ニューラルネットワークに代表される学習を用いた方法がある。また、目、鼻、口及び顔の輪郭等の物理的な形状の特徴のある部位を画像データからテンプレートマッチングを用いて識別する手法がある。
【００５６】
他にも、肌の色や目の形といった画像データの特徴量を検出し統計的解析を用いた手法があげられる（例えば、特開平１０−２３２９３４号公報や特開２０００−４８１８４号公報等を参照）。
【００５７】
さらに、直前の顔領域が検出された位置の近傍であるかを判定したり、服の色を加味するために顔領域の近傍の色を判定したり、あるいは、画面の中央付近ほど顔識別のための閾値を低く設定したりする方法がある。また、予め主被写体が存在する領域を指定してヒストグラムや色情報を記憶し、相関値を求めることで主被写体を追尾する方法がある。
【００５８】
本実施形態では、上述したいずれの方式でも良く、顔の輪郭を検出し、これらの相対位置より人の顔領域を決定する手法により顔領域の識別処理を行っている。
【００５９】
なお、本実施形態では、顔検出としているが、人の顔以外の対象（例えば、動物、選手の背番号、特定の車）を検出することも可能である。
【００６０】
例えば、特開平５−８９２４４号公報には、カメラで撮像した画像データ中のナンバープレートの文字を認識する方法が提案されている。また、例えばスポーツ選手のユニフォームの背番号を特徴値として予め記憶し、撮影した静止画から、上記の特徴と一致する部分を検索する方法もある。
【００６１】
また、特開平０７−２３１７３３号公報には、魚を写した画像データを用いて魚の全長と体高より魚の種別を認識する方法が提案されている。この技術は動物の検出にも応用できる。
【００６２】
ステップＳ６１０３では、ＭＰＵ５０は、ステップＳ６１０２で顔が検出されたかどうかを判断し、顔が検出された場合は、ステップＳ６１０４に進み、顔が検出されなかった場合は、ステップＳ６１０５に進む。
【００６３】
図１１は、図６（ａ）に対する顔検出結果の例であり、この場合では３人の顔がそれぞれの座標上に見つかったことがわかる。この例では３６０×２４０Ｐｉｘｅｌの素子サイズの検出結果例であるが、光学ファインダー上のＳＩ表示に反映するために必要な座標情報であれば、素子サイズや座標情報の単位を特に限定するものでない。
【００６４】
ステップＳ６１０４では、ＭＰＵ５０は、図１１の顔検出結果例に基づいて、図１０のＳＩ表示位置情報から、光学ファインダー上に見えるＳＩ表示を使用して、顔を囲むように表示する位置を算出する。
【００６５】
そして、ＭＰＵ５０は、ＳＩ制御部８３を制御して、算出した位置情報に応じて、図６（ａ）の中央の位置（図１１の優先度１に対応）の顔を囲む複数の測距枠３−１−１の点灯指示を行うとともに、顔アイコン３−１−２の点灯を行う。
【００６６】
具体的には、検出された顔の輪郭上に位置すると判断された測距枠を用いる。顔の輪郭上に測距枠がない場合には、その輪郭のすぐ外側に位置する測距枠を用いる。検出した顔の中心部に位置する測距枠や、検出した顔に重畳する全ての測距枠を用いてＳＩ表示をしてしまうと、検出した顔が見えにくくなり、その表情を観察しにくくなってしまう。
【００６７】
そこで、本実施形態では、検出した顔の輪郭上、あるいは、顔の外側に位置する測距枠を用いてＳＩ表示することによって、検出した顔の表情を認識可能な状態で、選択した顔領域の位置および大きさをユーザーに認識させることが可能となる。
【００６８】
一方、ステップＳ６１０５では、顔が検出されなかった場合なので、ＭＰＵ５０は、現在のＡＦモードや被写体物の状態に応じて、光学ファインダー上に図９（ａ）の測距枠５−１−１のような従来と同様のＳＩ表示を行い、顔アイコン５−１−２の点灯は行わない。ここで、例えば、次候補右釦が押下されれば、ＭＰＵ５０は、図９（ｂ）のように、測距枠５−１−１ではなく、測距枠５−１−１の右側の測距枠５−２−１を点灯させる。
【００６９】
次に、ステップＳ６１０６では、ＭＰＵ５０は、複数の顔が存在するかを判断し、複数の顔が存在する場合は、ステップＳ６１０７に進み、複数の顔が存在しない場合、すなわち、一人の顔の場合は、ステップＳ６１０８に進む。
【００７０】
ステップＳ６１０７では、ＭＰＵ５０は、現在選択されている顔の位置の右側に顔が存在すれば、図６（ａ）のように次候補選択アイコン右３−３−２を点灯させる。また、ＭＰＵ５０は、現在選択されている顔の位置の左側に顔が存在すれば、図６（ａ）及び図６（ｂ）のような次候補選択アイコン左３−３−１を点灯させる。
【００７１】
例えば、図６（ｂ）に示す３つの顔の全てに対して図６（ａ）に示す方法でＳＩ表示を行ってしまうと、画面内に存在する半数近くの測距枠が同じように点灯してしまい、どこが顔領域として検出されたのか判別しにくくなってしまう。
【００７２】
そこで、本実施形態では、図６（ａ）及び図６（ｂ）に示すように、メインの顔として選択された顔以外の顔については、検出した顔の位置を示すＳＩ表示を行っていない。
【００７３】
但し、それだけでは、メインとして選択された顔以外に顔が検出されているかをユーザにわからせることができなくなってしまう。
【００７４】
そこで、本実施形態では、メインとして選択された顔以外にも顔が検出されているならば、上述したように、次候補選択アイコン（操作用画像）３−３−１、３−３−２を点灯させている。これにより、メインとして選択された顔以外にも顔が検出されているか、そして検出された顔はメインの顔に対してどちらの方向に位置しているのかを、ユーザに知らせる構成としている。
【００７５】
なお、図６（ｃ）に示すように、メインの顔の位置を示す測距枠３−３−５の表示とは異なる表示、例えば点３−３−３、３−３−４でメイン以外の顔の位置と大きさを控えめに表示してメインの顔の位置と大きさを判別しやすくしてもよい。また、このような点３−３−３，３−３−４を表示させるか表示させないかをあらかじめ設定できるようにしてもよい。
【００７６】
また、顔が必ずしも測距枠で囲める位置で検出されるとは限らない。このため、検出された顔が複数の測距枠の表示領域よりも外側に位置するときは、図８に示すように、検出された顔の輪郭に最も近い複数の測距枠４−１−１、４−１−２、４−１−３を顔の領域の周囲に沿って点灯させて顔の位置を示す。
【００７７】
更に、次候補選択アイコン３−３−１、３−３−２を点灯表示している間は、不図示の次候補選択キーの操作を受け付ける。この次候補選択キーには、左右を選択するためのボタン、あるいはダイヤル等の操作部材が設けられている。
【００７８】
そして、次候補選択アイコンが示す候補位置の方向と、この操作部材にて指示された方向が一致していれば、ＭＰＵ５０は、ＳＩ表示をその方向に位置する次候補の顔に切り替えるよう制御する。
【００７９】
ステップＳ６１０８は、複数の顔が存在しないので、ＭＰＵ５０は、図７に示すように、次候補選択アイコン３−３−１、３−３−２は点灯させずに、ステップＳ６１０９に進む。
【００８０】
ステップＳ６１０９では、ＭＰＵ５０は、現在選択されている顔に対してＡＦ動作を行う。なお、顔が動いた場合に、あらかじめ顔検出した領域でＡＦするか、または指定した顔に追尾するかどうかを、ＡＦモードによって処理を変えてもかまわない。
【００８１】
ステップＳ６１１０では、ＭＰＵ５０は、シャッター釦ＳＷ１が押下されたかを監視するモジュールに処理を移行し、処理を終了する。
【００８２】
図５は、シャッター釦ＳＷ１が押下された以降の処理を説明するためのフローチャート図である。
【００８３】
ステップＳ６３０１では、ＭＰＵ５０は、シャッター釦ＳＷ１が押下されたか監視するし、ＳＷ１キーが押下されたら、ステップＳ６３０２に進む。
【００８４】
ステップＳ６３０２では、ＭＰＵ５０は、現在選択されている顔に対して最終的なＡＦ制御を行い、焦点位置を固定する。そして、ＭＰＵ５０は、図７（ｂ）に示すように、その顔の中心に位置する測距枠３−１−２に対して、顔の位置を示すための測距枠３−１−１とは異なる形態のＳＩ表示にて、合焦したことを知らせるための表示を行う。例えば、測距枠３−１−２の色を変えたり、点滅させたりする。あるいは、顔の位置を示すために用いた測距枠３−１−１をそのまま用いて、ＳＩ表示を色を変えたり、点滅表示させることで、合焦したことを示すようにしても良い。
【００８５】
そして、ステップＳ６３０３では、ＭＰＵ５０は、現在選択されている露出モードと状態に応じて、選択された顔が適正な輝度値となるように露出制御を行い、シャッター釦ＳＷ２が押下されるのを待つ。そして、ＳＷ２が押下されると、ＭＰＵ５０は、ステップＳ６３０４にて、撮影された画像を取り込み、ステップＳ６３０５にて、画像ファイル書き込みを行い、ステップＳ６１０２に戻る。
【００８６】
以上説明したように、本実施形態では、撮像素子７ではなく、ミラーダウンした状態で画像取得可能な画像取得素子８１の出力から生成された画像データを基に被写体検出回路８４により顔を検出する。そして、光学ファインダー視野領域内において、検出された顔領域を囲むように複数の測距枠を点灯表示させる。
【００８７】
これにより、検出された顔領域を判りやすく表示することができるとともに、合焦するまでの時間を短縮してレリーズタイムラグを少なくすることができ、この結果、被写体検出技術を利用したＡＦ機能により良好な被写体撮影が可能となる。
【００８８】
また、操作部材の一回の操作で次候補の被写体側に複数の測距枠を移動させて該被写体の領域を囲むことができるので、すばやく意図した被写体を合焦させることが可能となる。
【００８９】
なお、本発明は、上記実施形態に例示したものに限定されるものではなく、本発明の要旨を逸脱しない範囲において適宜変更可能である。
【図面の簡単な説明】
【００９０】
【図１】本発明の撮像装置の実施形態の一例であるデジタル一眼レフカメラの概略断面図である。
【図２】図１に示すカメラの電気的構成を説明するためのブロック図である。
【図３】光学ファインダー視野枠内に全ての測距枠をＳＩ表示させた状態を示す図である。
【図４】カメラにおけるＳＩ表示処理の一例を説明するためのフローチャート図である。
【図５】シャッター釦ＳＷ１が押下された以降の処理を説明するためのフローチャート図である。
【図６】複数の顔が検出された場合の光学ファインダー視野枠内でのＳＩ表示例を示す図である。
【図７】一人の顔が検出された場合の光学ファインダー視野枠内でのＳＩ表示例を示す図である。
【図８】測距枠よりも外側で顔が検出された場合の光学ファインダー視野枠内でのＳＩ表示例を示す図である。
【図９】顔が検出されなかった場合の光学ファインダー視野枠内でのＳＩ表示例を示す図である。
【図１０】光学ファインダー視野枠に対する座標情報を示す図である。
【図１１】被写体検出回路で取得した顔情報例を示す図である。
【符号の説明】
【００９１】
１  カメラ本体
３  撮影レンズ
３ａ  フォーカスレンズ群
３ｂ  ズームレンズ群
４  主ミラー
５  サブミラー
６  シャッター
７  撮像素子
８  焦点検出装置
９  ピント板
１０  ファインダー視野枠
１１  ペンタプリズム
１２，１３  接眼レンズ
１５  液晶モニタ
１６  フォーカス駆動用モータ
１７  フォーカス駆動部材
１８  フォトカプラ
１９  パルス板
２０  絞り
２１  絞り駆動装置
５０  マイクロコンピュータ（ＭＰＵ）
５１  メモリコントローラ
５２  ＥＥＰＲＯＭ
５３  焦点検出回路
５４  モータ駆動回路
５７  シャッター駆動回路
６０  レンズ制御回路
６１  焦点調節回路
６２  絞り駆動回路
６３  操作ＳＷ
６４  ＣＤＳ／ＡＧＣ回路
６５  Ａ／Ｄ変換器
６６  ＴＧ（タイミング発生）回路
６７  ＳＤＲＡＭ
６８  画像処理回路
６９  画像圧縮／伸張回路
７０  Ｄ／Ａ変換器
７１  Ｉ／Ｆ
７３  ＤＣ／ＤＣコンバータ
８０  測光センサ
８１  画像取得素子
８２  測光回路
８３  ＳＩ制御部
８４  被写体検出回路
８５  ＬＥＤ
【図１】
2010039284.tif 000003
【図２】
2010039284.tif 000004
【図３】
2010039284.tif 000005
【図４】
2010039284.tif 000006
【図５】
2010039284.tif 000007
【図６】
2010039284.tif 000008
【図７】
2010039284.tif 000009
【図８】
2010039284.tif 000010
【図９】
2010039284.tif 000011
【図１０】
2010039284.tif 000012
【図１１】
2010039284.tif 000013